(57)【要約】【課題】    本発明は便座の固定穴と便器の前後の両側面を利用し、手すりが取り付け可能で、かつ、後方の固定が出来ない形状の便器でも取り付け可能な手すりを提供することを目的とする。【解決手段】    便器上面側に固定される取付プレートであり、便器の上面に取り付けられる便座を取り付け固定する固定穴と、取付プレートの後方から便器の左右側面を挟み込み取付プレートを便器に固定する後方固定手段と、取付プレートの前方から便器の左右側面を挟み込み取付プレートを便器に固定する前方固定手段とを備え、この取付プレートの側端部に垂下する垂直片を設け、この垂直片に手すりが取り付けられてなる構成としている。【選択図】  図１
2008006139.tif 000002
【特許請求の範囲】
【請求項１】
便器上面に固定される取付プレートと、
前記取付プレートの左右側端部から上方に延設し形成された一対の縦部材とその縦部材を連結して前記取付プレートと略平行且つ上方に配置され形成された水平部材とを有するフレームと、
前記各縦部材に取り付けられ略水平に便器前方に向かって延設された一対の手すりと、
を備えた便器取付用手すりにおいて、
前記取付プレートが、
その左右の側端部から垂下する一対の垂直片と、
便器に取り付けられる便座と便器上面との間に前記取付プレートを配設し取り付け固定する固定穴とを備え、
前記垂直片は、
前記垂直片の前方左右側面から便器を挟み込み前記取付プレートを便器に固定する前方固定手段と、
前記垂直片の後方左右側面から便器を挟み込み前記取付プレートを便器に固定する後方固定手段と、
を備えたことを特徴とする便器取付用手すり。
【請求項２】
便器上面に固定される取付プレートと、
前記取付プレートの左右側端部から上方に延設し形成された一対の縦部材とその縦部材を連結して前記取付プレートと略平行且つ上方に配置され形成された水平部材とを有するフレームと、
前記各縦部材に取り付けられ略水平に便器前方に向かって延設された一対の手すりと、
を備えた便器取付用手すりにおいて、
前記取付プレートが、
その左右の側端部から垂下する一対の垂直片と、
便器に取り付けられる便座と便器上面との間に前記取付プレートを配設し取り付け固定する固定穴と、
前記各垂直片後方から床面に向かって延設して設けられた一対の脚フレームを各々床面に固定する床面固定手段とを備え、
前記垂直片は、
前記垂直片の前方左右側面から便器を挟み込み前記取付プレートを便器に固定する前方固定手段を備えたことを特徴とする便器取付用手すり。
【請求項３】
前記固定穴が便器の前後方向に長穴状に形成したことを特徴とする請求項１又は２に記載の便器取付用手すり。
【請求項４】
前記前方固定手段は、左右方向にスライド可能で、かつ便器左右側面の上下の傾斜に応じて傾斜自在な先端傾斜部を有することを特徴とする請求項１乃至３のいずれか一つに記載の便器取付用手すり。
【請求項５】
前記後方固定手段は、左右方向にスライド可能で、かつ便器左右側面の上下の傾斜に応じて傾斜自在な先端傾斜部を有することを特徴とする請求項１、３又は４のいずれか一つに記載の便器取付用手すり。
【発明の詳細な説明】
【技術分野】
【０００１】
本発明は大便器に手すりを後付けで取り付ける際に、便器に補強をせずに、手すりを取り付けることの出来る、便器取付用手すりに関する発明である。
【背景技術】
【０００２】
従来、便器の両側に手すりを設けるにあたり、便器の両側に専用スタンドを立設し、このスタンドの上部に手すりを取り付けるものがあった。
しかし、便器の両側に専用スタンドを立てるため、便器を使用する際、足を引っ掛けたりして危険な上、意匠性も悪いものであった。
【０００３】
そこで、この点を改良した便器取付用手すりが考案された。これは、便器の上面に取り付けられる便座を取り付け固定する便座固定穴と便器後方にあるロータンク用取付穴とを利用して、手すりを取り付ける構造のものである。その構成は、便器上面に固定される取付プレートに便座取付穴とロータンク固定穴及び、排水口用の穴を設けて、これを利用することで取付プレートを便器に固定し、その取付プレートの側面に手すりを設けている（例えば、特許文献１を参照。）。
【０００４】
また、別の便器取付用手すりとしては、上記の構造と同じく便器の上面に取り付けられる便座を取り付け固定する便座固定穴と便器後方にあるロータンク用取付穴とを利用し、手すりを取り付ける構造である。この例では取付プレートの中央部分の排水口を無くすため、左右に取付プレートを分けることでより、施工性を向上させたものとなっている（例えば、特許文献２を参照。）。
【０００５】
しかし上記の改良技術はいずれも、便器に手すりを取り付ける際には、便座とロータンクの固定穴を使う構造となっており、施工時にはロータンクを外す手間が掛かる。また、ロータンクの固定穴が無い便器には取り付けできない構造である。
【０００６】
【特許文献１】特許第３５０３５３２号公報
【特許文献２】特許第３４２４５４４号公報
【発明の開示】
【発明が解決しようとする課題】
【０００７】
本発明は、上記問題を解決するためになされたもので、本発明の課題は、手すりを便器に取付ける際、ロータンクの固定穴を使用せず、施工時にはロータンクを外す手間が掛からない手すりを提供することにある。また、ロータンクの固定穴が無い便器にも取り付け可能な手すりを提供することにある。
【課題を解決するための手段】
【０００８】
本発明の請求項１では、便器上面に固定される取付プレートと、取付プレートの左右側端部から上方に延設し形成された一対の縦部材とその縦部材を連結して取付プレートと略平行且つ上方に配置され形成された水平部材とを有するフレームと、各縦部材に取り付けられ略水平に便器前方に向かって延設された一対の手すりと、を備えた便器取付用手すりにおいて、取付プレートが、その左右の側端部から垂下する一対の垂直片と、便器に取り付けられる便座と便器上面との間に前記取付プレートを配設し取り付け固定する固定穴とを備え、垂直片は、垂直片の前方左右側面から便器を挟み込み取付プレートを便器に固定する前方固定手段と、垂直片の後方左右側面から便器を挟み込み取付プレートを便器に固定する後方固定手段と、を備えたことを特徴とする便器取付用手すりを提供する。
【０００９】
これにより、便器への手すりの取付けは、ロータンクの固定穴を使用せず、施工時にはロータンクを外す手間が掛からず施工性を向上させることができる。また、取り付ける便器の形状が違っても、取り付け可能な便器取付用手すりを提供することが出来る。さらに、取付プレートの前方固定手段及び後方固定手段により、手すりを鉛直及び水平方向の荷重に対して、強固に固定出来る。
【００１０】
本発明の請求項２では、便器上面に固定される取付プレートと、取付プレートの左右側端部から上方に延設し形成された一対の縦部材とその縦部材を連結して前記取付プレートと略平行且つ上方に配置され形成された水平部材とを有するフレームと、各縦部材に取り付けられ略水平に便器前方に向かって延設された一対の手すりと、を備えた便器取付用手すりにおいて、取付プレートが、その左右の側端部から垂下する一対の垂直片と、便器に取り付けられる便座と便器上面との間に前記取付プレートを配設し取り付け固定する固定穴と、各垂直片後方から床面に向かって延設して設けられた一対の脚フレームを各々床面に固定する床面固定手段とを備え、垂直片は、垂直片の前方左右側面から便器を挟み込み取付プレートを便器に固定する前方固定手段を備えたことを特徴とする便器取付用手すりを提供する。
【００１１】
これにより、便器の後方側面に固定できない便器やロータンクの無い便器に対しても、後方の固定が出来る便器と同等の強度を維持して便器取付用手すりを取り付けることができる。
【００１２】
本発明の請求項３では、前記固定穴を便器の前後方向に長穴状に形成したことを特徴とする請求項１又は２に記載の便器取付用手すりを提供する。
これにより、取り付ける便器とタンクとの寸法公差を吸収することが出来、適正位置に便器取付用手すりを取り付けることができる。
【００１３】
本発明の請求項４では、前記前方固定手段は、左右方向にスライド可能で、かつ便器左右側面の上下の傾斜に応じて傾斜自在な先端傾斜部を有することを特徴とする請求項１乃至３のいずれか一つに記載の便器取付用手すりを提供する。
これにより、前方の幅の違う便器に対しても、また便器の前方側面の上下の傾斜に対しても、対応して便器取付用手すりを取り付けることができる。
【００１４】
本発明の請求項５では、前記後方固定手段は、左右方向にスライド可能で、かつ便器左右側面の上下の傾斜に応じて傾斜自在な先端傾斜部を有することを特徴とする請求項１、３又は４のいずれか一つに記載の便器取付用手すりを提供する。
これにより、後方の幅の違う便器に対しても、また便器の後方側面の上下の傾斜に対しても、対応して便器取付用手すりを取り付けることができる。
【発明の効果】
【００１５】
便座の固定穴と便器の前後の両側面を利用し、手すりが取り付け可能で、かつ、便器後方を利用して固定が出来ない形状の便器でも取り付け可能な手すりを提供することができ、さらに手すりを便器に強固にかつ確実に固定でき、便器の数多い種類に対しても対応可能な便器取付用手すりを提供出来る。
【発明を実施するための最良の形態】
【００１６】
図１は、本発明の実施形態である便器取付用手すりを示した分解斜視図である。図２は便器取付用手すりの側面図、図３は平面図、図４は正面図、図５は図３のＡ―Ａ断面の後方固定手段の詳細、図６は図３のＢ―Ｂ断面の前方固定手段の詳細、図７は脚フレームを取付けた実施例、図８は脚フレームと床固定手段を示した図、図９は背もたれの取付図、図１０は図４のＰ視の小水侵入防止パッキンの取付図を示す。
【００１７】
本発明の便器取付用手すりの構造は、図１〜３に示すように、便器１０の上面に設置される取付プレート１があって、この取付プレート１の左右両側の側端部に垂下する垂直片３を設け、この垂直片３に図３に示す継手６及びフレーム５を接続したものに、手すり２が取り付けられてなっているものである。
【００１８】
フレーム５は、左の垂直片３から上方に延設し形成された縦部材４６と、その縦部材から曲折して取付プレート１上面の後方と略平行且つ上方に配置され形成された水平部材４７と、その水平部材から曲折して右の垂直片に向かって下方に延設し形成された縦部材４６とを有している。
また、手すり２は、フレーム５の左右の縦部材４６に取り付けられ略水平に便器前方に向かって延設されている。
手すり２は図２に示す金属製の握りバー８と樹脂又は木製の握りバーカバー９からなり、カバーの形状は、直線であっても構わないものである。
【００１９】
便器１０に取付プレート１を設置する際に、取付プレート１に接続されたフレーム５とロータンク１２の隙間が便器１０とロータンク１２の種類により違うため、種類によっては、便器とロータンクの距離１４が短くなり、フレーム５とロータンク１２が干渉する。この問題を解決するため、図３に示す取付プレート１に長穴４を設けている。
取付プレート１は、便座１５と便器１０の上面との間に配設され、便器１０の便座１５用の固定用穴１１と取付プレート１の固定穴である長穴４の位置を合わせたのち、ボルト１６とナット１７により便器１０に固定される。
【００２０】
取付プレート１を垂直片３の後方で固定する後方固定手段は図３のＡ−Ａ断面である図５に示す。図５に示すように、フレーム５の縦部材４６は継手６を介して取付プレート１に接続される。フレーム５の縦部材４６側面下部に上下２ヶ所以上の開口部を設置し、取付プレート１の側端部に垂下する垂直片３に設けられたねじ穴を利用し、これをガイドとして固定ボルト２２をねじ込んでいく。
その先端には、継手２４、便器押さえ２５、クッション２６、皿小ねじ２７により構成された先端傾斜部を取り付け、これを便器側面に当て、フレーム５の反対側に設置された同構造のものと左右締付けて挟み込み、取付プレート１を便器に固定する。
【００２１】
六角ナット２３は固定ボルト２２を締付け、緩み止めとして用いる。
固定ボルト２２の長さを変更したり、そのねじ込み量を変えたりすることで便器押さえ２５を左右にスライドさせることが可能であるため、便器１０の後方の左右幅が違うものにも対応して、取付プレート１を便器１０の後方側で固定できる。
フレーム５の縦部材４６の開口部には、塞蓋Ａ２０及び塞蓋Ｂ２１を取り付けることで安全性及び意匠性を向上させている。
【００２２】
先端傾斜部は、継手２４の先端を凸状又は凹状球面にし、相手側の便器押さえ２５の受け側も凹状又は凸状球面にすることで自在な動きが可能となっている。
これにより、便器１０の外形が上下方向に傾斜していても対応でき、さらに皿子ねじ２７により便器押え２５を継手２４に連結することで、継手２４と便器押さえ２５の組合せ時の落下防止となり、施工性の向上を図ることが出来る。
なお、クッション２６は、ゴム又はプラスチックを使うことで便器１０を割ることなく、強固に固定が出来る。
【００２３】
また、固定ボルト２２の固定位置をフレーム５に設けた上下の２ヶ所以上の開口部を利用することで、固定ボルト２２で締め付ける便器押え２５の上下位置を変更することができ、便器１０の後方の厚さが違っても便器の側面を確実に挟み込んで、強固な固定が可能となる。
【００２４】
取付プレート１を垂直片３の前方で固定する前方固定手段は図３のＢ−Ｂ断面である図６に示す。図６に示すように、取付プレート１の側端部に垂下する垂直片３の前方に設けられたねじ穴を利用し、側面より支持棒３０をねじ込みその先端に先端傾斜部を構成する便器押さえ２５、クッション２６を取り付け、垂直片３の反対側に設置された同構造のものと左右より締付けて挟み込み、取付プレート１を便器に固定する。
【００２５】
支持棒３０の長さを変更したり、そのねじ込み量を変えたりすることで便器押さえ２５を左右にスライドさせることが可能であるため、便器１０の前方の左右幅が違うものにも対応して、取付プレート１を便器１０の前方側で固定できる。
化粧ナット３１は支持棒３０を締付け後に、緩み止めとして用いると共に、意匠性及び安全性の向上のため設ける。
【００２６】
先端傾斜部は、支持棒３０の先端を凸状又は凹状球面にし、相手側の便器押さえ２５の受け側も凹状又は凸状球面にすることで自在な動きが可能となっている。これにより、便器１０の外形が上下方向に傾斜していても対応できる。また、クッション２６は、ゴム又はプラスチックを使うことで便器１０を割ることなく、強固に固定が出来る。
【００２７】
便器１０によっては、ロータンク１２が設置されないものがあり、図５に示す後方の便器固定が出来ないものがある。
この問題の解決手段として、図７及び図８に示す脚フレーム３２を介して取付プレート１を床面に固定して、便器の種類によらず手すりを便器に設置可能となる。
【００２８】
その構成は、左右一対の脚フレーム３２、補強板３３、アジャストボルト３４からなっている。取付プレート１の側端部に垂下する垂直片３の後方に設けられたねじ穴７（図２に示す）と脚フレーム３２の上部にある取付穴をボルト３７で、取付プレート１と脚フレーム３２を連結している。さらに、取付フレーム１に連結される継手６の下側のねじ穴7-1をボルト３７、座金３８で継手６に脚フレーム３２の補強板３３を連結している。
この脚フレーム３２から伸びるアジャストボルト３４を床１３まで伸ばし、床固定ねじ３９で床面に固定して、床面固定手段としている。
このように、図５に示した後方固定手段に変わって、取付プレート１の後方を強固に固定することが可能となる。
【００２９】
アジャストボルト３４の先端の取付板３５には１２０度置きに穴を設けており、これを床１３に設置時に回転させて、３ヶ中の２ヶの穴を便器１０に対して、外側に向かう様に設置することで、床１３への床固定ねじ３９の施工が容易になる。施工完了時にはカバー３６を被せることで安全性も向上する。
【００３０】
図９に示すのは、フレーム５に設置される背もたれ４０の取付構造を示す。背もたれ４０は、フレーム５の上部の水平部材４７に設けられた２ヶ所の取り付け穴を使用し、ボルト４１、座金４２、ばね座金４３により、フレーム５の水平部材４７と連結される。
手すりを使う使用者の身体の状況により、背もたれ４０の着脱も可能となり、より使い勝手を向上させた手すりを提供することが出来る。
また、清掃性の向上も図れる。
【００３１】
図１０に示すのは、取付プレート１の裏面である。男性の小便行為の際に誤って小水が便器１０の廻りに飛散し、便座１５と便器１０の間に侵入した場合、衛生面及び、臭気の面より都度、清掃が必要となるが、取付プレート１の裏面に、小水侵入防止パッキン４４、４５を設置することにより、清掃性の向上が図れる。
【図面の簡単な説明】
【００３２】
【図１】本件発明の一実施の形態である便器取付用手すりの構造を示した分解斜視図である。
【図２】便器取付用手すりの側面図である。
【図３】便器取付用手すりの平面図である。
【図４】便器取付用手すりの正面図である。
【図５】図３のＡ―Ａ断面である後方固定手段の詳細を示す。
【図６】図３のＢ―Ｂ断面である前方固定手段の詳細を示す。
【図７】脚フレームを取付けた実施例である。
【図８】脚フレームと床面固定手段を示す。
【図９】背もたれの取付図である。
【図１０】図４のＰ視、小水侵入防止パッキンの取付図である。
【符号の説明】
【００３３】
１    取付プレート
２    手すり
３    垂直片
４    長穴
５    フレーム
６    継手
７    脚フレーム取付ねじ穴
７-1  補強板取付ねじ穴
８    握りバー
９    握りバーカバー
１０  便器
１１  便座固定穴
１２  ロータンク
１３  床面
１４  便座固定穴とロータンクの距離
１５  便座
１６  ボルト
１７  ナット
２０  塞蓋Ａ
２１  塞蓋Ｂ
２２  固定ボルト
２３  六角ナット
２４  継手
２５  便器押さえ
２６  クッション
２７  皿小ねじ
３０  支持棒
３１  化粧ナット
３２  脚フレーム
３３  補強板
３４  アジャストボルト
３５  取付板
３６  カバー
３７  取付ボルト
３８  座金
３９  床固定ねじ
４０  背もたれ
４１  固定ボルト
４２  座金
４３  ばね座金
４４  防水パッキンＡ
４５  防水パッキンＢ
４６  縦部材
４７  水平部材
【図１】
2008006139.tif 000003
【図２】
2008006139.tif 000004
【図３】
2008006139.tif 000005
【図４】
2008006139.tif 000006
【図５】
2008006139.tif 000007
【図６】
2008006139.tif 000008
【図７】
2008006139.tif 000009
【図８】
2008006139.tif 000010
【図９】
2008006139.tif 000011
【図１０】
2008006139.tif 000012